(57)【要約】  人物における日焼け止め剤の被覆率を評価する為の装置は、筐体と、上記筐体の前面付近から延伸するとともに、約３００ｎｍ〜約４００ｎｍの波長帯内の光エネルギーを透過できるレンズアセンブリとを含む。フィルタが、上記レンズアセンブリと光通信を行い、約３９０ｎｍより上において高光学濃度を有するとともに、約３９０ｎｍ未満において低光学濃度を有する。センサが、上記フィルタと光通信を行い、約３６ｄｂを超える信号／ノイズ比を有する。コントローラが、ユーザから入力を受け付けることによって上記装置を制御するように構成されている。表示画面が、上記フィルタリングされた光に関連する画像を表示する為にコントローラと通信を行い得る。
2019515289.tif 000002
【特許請求の範囲】
【請求項１】
人物における日焼け止め剤の被覆率を評価する為の装置であって、
筐体と、
上記筐体の前面付近から延伸するとともに、約３００ｎｍ〜約４００ｎｍの波長帯内の光エネルギーを透過できるレンズアセンブリであって、当該レンズアセンブリのレンズは、溶融シリカガラス、ホウケイ酸ガラス、溶融石英ガラス、ソーダ石灰ガラス、フッ化マグネシウムガラス、環状オレフィン共重合体プラスチック、環状オレフィン重合体プラスチック、ポリメチルペンテンプラスチック、シリコーン、およびアクリルプラスチックからなる群から選択される材料によって形成される、レンズアセンブリと、
上記レンズアセンブリと光通信を行うフィルタであって、約３９０ｎｍより上において高光学濃度を有するとともに、約３９０ｎｍ未満において低光学濃度を有するフィルタと、
上記フィルタと光通信を行うセンサであって、約３６ｄｂを超える信号／ノイズ比を有するセンサと、
ユーザから入力を受け付けることによって上記装置を制御するように構成されたコントローラと、
上記フィルタリングされた光に関連する画像を表示する為にコントローラと通信を行う表示画面とを含む、装置。
【請求項２】
上記筐体は、操作者の指を受け入れる凹部を画定する、請求項１に記載の装置。
【請求項３】
上記光エネルギーの光路内に偏光子をさらに含む、請求項１に記載の装置。
【請求項４】
上記偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである、請求項３に記載の装置。
【請求項５】
上記コントローラは、撮像時または撮像時付近における紫外線データに関連する情報を受け取るようにさらに構成されている、請求項１に記載の装置。
【請求項６】
上記コントローラは、上記表示された画像を、後で再評価する為に保存するようにさらに構成されている、請求項１に記載の装置。
【請求項７】
上記コントローラは、前回の使用からの経過時間を示す警告を提供するようにさらに構成されている、請求項１に記載の装置。
【請求項８】
上記コントローラは、バイオメトリックセンサまたは環境センサと通信を行う、請求項１に記載の装置。
【請求項９】
上記コントローラは、性能の向上の為に画像の向上を行う、請求項１に記載の装置。
【請求項１０】
上記コントローラは、上記ディスプレイ上の表示性能の向上の為に上記画像の変換を行う、請求項１に記載の装置。
【請求項１１】
上記コントローラは、人物の皮膚上における日焼け止め剤の被覆率の低い領域および高い領域の少なくともいずれかを認識し、当該領域について上記ディスプレイ上に追加的な可視指示を提供する、請求項１に記載の装置。
【請求項１２】
上記可視指示は、点滅する色または対比色である、請求項１１に記載の装置。
【請求項１３】
上記コントローラは、外部記憶装置と通信を行う、請求項１に記載の装置。
【請求項１４】
上記筐体は、約５インチ未満の主要寸法を有する、請求項１に記載の装置。
【請求項１５】
上記コントローラは、連続するタイミングで撮像した人物の連続画像を表示させるように構成されているとともに、当該連続画像における変化に関する少なくとも一つの特性を判定するようにさらに構成されている、請求項１に記載の装置。
【請求項１６】
上記コントローラは、上記画像を、後で再評価する為に保存するよう構成されている、請求項１に記載の装置。
【請求項１７】
上記表示画面は上記筐体に設けられている、請求項１に記載の装置。
【請求項１８】
上記表示画面は、モバイル機器の画面であり、
上記モバイル機器と通信を行うことによって上記モバイル機器に上記画像を上記表示画面上に表示させるように構成されている、請求項１に記載の装置。
【請求項１９】
上記表示画面は、上記筐体に対して外付けされた画面である、請求項１に記載の装置。
【請求項２０】
日焼け止め剤が人物に塗布された後に、
約３００ｎｍ〜約４２５ｎｍの波長帯内の光エネルギーを透過できる装置であって、（ｉ）約３９０ｎｍより上において高光学濃度を有するとともに、約３９０ｎｍ未満において低光学濃度を有するフィルタと、（ｉｉ）上記フィルタと光通信を行うセンサと、（ｉｉｉ）約３６ｄｂを超える信号／ノイズ比を有するセンサとを有する装置を用いて上記人物を撮像する工程と、
当該撮像された人物の画像であって、当該人物における日焼け止め剤の塗布をコントラストで示す画像を表示させる工程とを含む、方法。
【請求項２１】
上記装置は、操作者の指を受け入れる凹部を画定する筐体を有しており、
上記凹部内における操作者の指の位置合わせを行う工程をさらに含む、請求項２０に記載の方法。
【請求項２２】
上記装置は、上記光エネルギーの光路内に偏光子をさらに含む、請求項２０に記載の方法。
【請求項２３】
上記偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである、請求項２２に記載の方法。
【請求項２４】
撮像時または撮像時付近における紫外線データに関連する情報を受け取る工程をさらに含む、請求項２０に記載の方法。
【請求項２５】
上記表示された画像を、後で再評価する為に保存する工程をさらに含む、請求項２０に記載の方法。
【請求項２６】
前回の使用からの経過時間を示す警告をさらに含む、請求項２０に記載の方法。
【請求項２７】
バイオメトリックセンサまたは環境センサと通信を行う工程をさらに含む、請求項２０に記載の方法。
【請求項２８】
画像の向上を行う工程をさらに含む、請求項２０に記載の方法。
【請求項２９】
上記ディスプレイ上の表示性能の向上の為に上記画像の変換を行う工程をさらに含む、請求項２０に記載の方法。
【請求項３０】
上記皮膚上における日焼け止め剤の被覆率の低い領域および高い領域の少なくともいずれか、ならびに当該領域について上記ディスプレイ上に追加的な可視指示を提供する工程をさらに含む、請求項２０に記載の方法。
【請求項３１】
上記可視指示は、点滅する色または対比色である、請求項３０に記載の方法。
【請求項３２】
外部記憶装置と通信を行う工程をさらに含む、請求項２０に記載の方法。
【請求項３３】
上記筐体は、約５インチ未満の主要寸法を有する、請求項２１に記載の方法。
【請求項３４】
連続するタイミングで撮像した人物の連続画像をさらに表示させるとともに、当該連続画像における変化に関する少なくとも一つの特性を判定する、請求項２０に記載の方法。
【請求項３５】
上記画像を、後で再評価する為に保存する工程をさらに含む、請求項２０に記載の方法。
【請求項３６】
表示画面が上記筐体に設けられている、請求項２１に記載の方法。
【請求項３７】
上記表示画面は、モバイル機器の画面であり、
上記装置は、上記モバイル機器と通信を行うことによって上記モバイル機器に上記画像を上記表示画面上に表示させるように構成されている、請求項３６に記載の方法。
【請求項３８】
上記表示画面は、上記筐体に対して外付けされた画面である、請求項３６に記載の方法。
【請求項３９】
日焼け止め剤の容器と、
人物における日焼け止め剤の被覆率を評価する為の装置とを含むキットであって、
上記装置は、
筐体と、
上記筐体の前面付近から延伸するとともに、約３００ｎｍ〜約４００ｎｍの波長帯内の光エネルギーを透過できるレンズアセンブリであって、当該レンズアセンブリのレンズは、溶融シリカガラス、ホウケイ酸ガラス、溶融石英ガラス、ソーダ石灰ガラス、フッ化マグネシウムガラス、環状オレフィン共重合体プラスチック、環状オレフィン重合体プラスチック、ポリメチルペンテンプラスチック、シリコーン、およびアクリルプラスチックからなる群から選択される材料によって形成される、レンズアセンブリと、
上記レンズアセンブリと光通信を行うフィルタであって、約３９０ｎｍより上において高光学濃度を有するとともに、約３９０ｎｍ未満において低光学濃度を有するフィルタと、
上記フィルタと光通信を行うセンサであって、約３６ｄｂを超える信号／ノイズ比を有するセンサと、
ユーザから入力を受け付けることによって上記装置を制御するように構成されたコントローラと、
上記フィルタリングされた光に関連する画像を表示する為にコントローラと通信を行う表示画面とを含む、キット。
【請求項４０】
上記表示画面は上記筐体に設けられている、請求項３９に記載のキット。
【請求項４１】
上記表示画面は、モバイル機器の画面であり、
上記装置は、上記モバイル機器と通信を行うことによって上記モバイル機器に上記画像を上記表示画面上に表示させるように構成されている、請求項３９に記載のキット。
【請求項４２】
上記表示画面は、上記筐体に対して外付けされた画面である、請求項３９に記載のキット。
【請求項４３】
上記筐体は、操作者の指を受け入れる凹部を画定する、請求項３９に記載のキット。
【請求項４４】
上記光エネルギーの光路内に偏光子をさらに含む、請求項３９に記載のキット。
【請求項４５】
上記偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである、請求項４４に記載の装置。
【請求項４６】
上記コントローラは、撮像時または撮像時付近における紫外線データに関連する情報を受け取るようにさらに構成されている、請求項３９に記載のキット。
【請求項４７】
上記コントローラは、上記表示された画像を、後で再評価する為に保存するようにさらに構成されている、請求項３９に記載のキット。
【請求項４８】
上記コントローラは、前回の使用からの経過時間を示す警告を提供するようにさらに構成されている、請求項３９に記載のキット。
【請求項４９】
上記コントローラは、バイオメトリックセンサまたは環境センサと通信を行う、請求項３９に記載のキット。
【請求項５０】
上記コントローラは、性能の向上の為に画像の向上を行う、請求項３９に記載のキット。
【請求項５１】
上記コントローラは、上記ディスプレイ上の表示性能の向上の為に上記画像の変換を行う、請求項３９に記載のキット。
【請求項５２】
上記コントローラは、人物の皮膚上における日焼け止め剤の被覆率の低い領域および高い領域の少なくともいずれかを認識し、当該領域について上記ディスプレイ上に追加的な可視指示を提供する、請求項３９に記載のキット。
【請求項５３】
上記可視指示は、点滅する色または対比色である、請求項５２に記載のキット。
【請求項５４】
上記コントローラは、外部記憶装置と通信を行う、請求項３９に記載のキット。
【請求項５５】
上記筐体は、約５インチ未満の主要寸法を有する、請求項３９に記載のキット。
【請求項５６】
上記コントローラは、連続するタイミングで撮像した人物の連続画像を表示させるように構成されているとともに、当該連続画像における変化に関する少なくとも一つの特性を判定するようにさらに構成されている、請求項３９に記載のキット。
【請求項５７】
上記コントローラは、上記画像を、後で再評価する為に保存するよう構成されている、請求項３９に記載のキット。
【請求項５８】
人物における日焼け止め剤の被覆率を評価する為の装置であって、
前面付近から延伸するとともに、約３００ｎｍ〜約４００ｎｍの波長帯内の光エネルギーを透過できるレンズアセンブリと、
上記レンズアセンブリと光通信を行うフィルタであって、約３９０ｎｍより上において高光学濃度を有するとともに、約３９０ｎｍ未満において低光学濃度を有するフィルタと、
上記フィルタと光通信を行うセンサであって、約３６ｄｂを超える信号／ノイズ比を有するセンサと、
上記フィルタリングされた光に関連する画像を表示する表示画面と、
ユーザから入力を受け付けることによって上記装置を制御するように構成されたコントローラとを含む、装置。
【請求項５９】
人物における日焼け止め剤の被覆率を評価する為の装置であって、
内部体積および当該内部体積から延伸する凸部を画定する筐体と、
上記凸部内において延伸するとともに、約３００ｎｍ〜約４００ｎｍの波長帯内の光エネルギーを透過できるレンズアセンブリであって、当該レンズアセンブリのレンズは、プラスチックから形成される、レンズアセンブリと、
上記レンズアセンブリと光通信を行うフィルタであって、約３９０ｎｍより上において少なくとも３である高光学濃度を有するとともに、約３９０ｎｍ未満においてわずか１である低光学濃度を有するフィルタと、
上記フィルタと光通信を行うセンサであって、約３６ｄｂを超える信号／ノイズ比を有するセンサと、
上記フィルタリングされた光に関連する画像を表示する為に上記筐体に設けられている表示画面と、
ユーザから入力を受け付けることによって上記装置を制御するように構成されたコントローラとを含む、装置。
【請求項６０】
上記レンズアセンブリは、上記表示画面が上記ユーザの視野内にある状態で別の人物にも見られるように、回転可能である、請求項１、５８、または５９に記載の装置。
【請求項６１】
上記装置は眼鏡と係合している、請求項１、５８、または５９に記載の装置。
【請求項６２】
モバイル機器内に組み込まれている、請求項１、５８、および５９の少なくともいずれかに記載の装置。
【請求項６３】
人物における日焼け止め剤の被覆率を評価する為の装置であって、
筐体と、
上記筐体の前面付近から延伸するとともに、約３００ｎｍ〜約４２５ｎｍの波長帯内の光エネルギーを透過できるレンズアセンブリであって、当該レンズアセンブリのレンズは、溶融シリカガラス、ホウケイ酸ガラス、溶融石英ガラス、ソーダ石灰ガラス、フッ化マグネシウムガラス、環状オレフィン共重合体プラスチック、環状オレフィン重合体プラスチック、ポリメチルペンテンプラスチック、シリコーン、およびアクリルプラスチックからなる群から選択される材料から形成される、レンズアセンブリと、
上記レンズアセンブリと光通信を行うフィルタであって、約３９０ｎｍより上において高光学濃度を有するとともに、約３９０ｎｍ未満において低光学濃度を有するフィルタと、
上記フィルタと光通信を行うセンサであって、約３６ｄｂを超える信号／ノイズ比を有するセンサと、
ユーザから入力を受け付けることによって上記装置を制御するように構成されたコントローラと、
上記フィルタリングされた光に関連する画像を表示する為にコントローラと通信を行う表示画面とを含む、装置。
【請求項６４】
人物における日焼け止め剤の被覆率を評価する為の装置であって、
筐体の前面付近から延伸するとともに、約３００ｎｍ〜約４００ｎｍの波長帯内の光エネルギーを透過できるレンズアセンブリであって、当該レンズアセンブリのレンズは、溶融シリカガラス、ホウケイ酸ガラス、溶融石英ガラス、ソーダ石灰ガラス、フッ化マグネシウムガラス、環状オレフィン共重合体プラスチック、環状オレフィン重合体プラスチック、ポリメチルペンテンプラスチック、シリコーン、およびアクリルプラスチックからなる群から選択される材料から形成される、レンズアセンブリと、
上記レンズアセンブリと光通信を行うフィルタであって、約３９０ｎｍより上において高光学濃度を有するとともに、約３９０ｎｍ未満において低光学濃度を有するフィルタと、
上記光エネルギーの紫外光を可視光に変換するコンバータと、
上記可視光に関連する画像を伝達するリレーレンズとを含む、装置。
【請求項６５】
眼鏡と係合している、請求項６４に記載の装置。
【請求項６６】
モバイル機器と係合するように構成されており、
係合時において、上記リレーレンズは、上記光エネルギーを上記モバイル機器の撮像装置内へと方向づける、請求項６４に記載の装置。
【請求項６７】
上記リレーレンズは、人間である観察者の目へと上記光エネルギーを方向づける、請求項６４に記載の装置。
【請求項６８】
上記モバイル機器は、撮像時または撮像時付近における紫外線データに関連する情報を受け取るように構成されたプロセッサを有するコントローラを含む、請求項６６に記載の装置。
【請求項６９】
上記コントローラは、上記モバイル機器上に表示された画像を、後で再評価する為に保存するようにさらに構成されている、請求項６６に記載の装置。
【請求項７０】
上記コントローラは、前回の使用からの経過時間を示す警告を提供するようにさらに構成されている、請求項６６に記載の装置。
【請求項７１】
上記コントローラは、バイオメトリックセンサまたは環境センサと通信を行う、請求項６６に記載の装置。
【請求項７２】
上記コントローラは、性能の向上の為に画像の向上を行う、請求項６６に記載の装置。
【請求項７３】
上記コントローラは、ディスプレイ上の表示性能の向上の為に上記画像の変換を行う、請求項６６に記載の装置。
【請求項７４】
上記コントローラは、人物の皮膚上における日焼け止め剤の被覆率の低い領域および高い領域の少なくともいずれかを認識し、当該領域についてディスプレイ上に追加的な可視指示を提供する、請求項６６に記載の装置。
【請求項７５】
上記可視指示は、点滅する色または対比色である、請求項７４に記載の装置。
【請求項７６】
上記コントローラは、連続するタイミングで撮像した人物の連続画像を表示させるように構成されているとともに、当該連続画像における変化に関する少なくとも一つの特性を判定するようにさらに構成されている、請求項６６に記載の装置。
【請求項７７】
上記コントローラは、上記画像を、後で再評価する為に保存するよう構成されている、請求項６６に記載の装置。
【請求項７８】
上記光エネルギーの向きを変えるように構成された撮像ダイバータをさらに含む、請求項６４に記載の装置。
【請求項７９】
上記撮像ダイバータは、プリズム、ミラー、および少なくとも一つの鏡面を有するプリズムからなる群のうちの一つ以上を含む、請求項７８に記載の装置。
【請求項８０】
上記撮像ダイバータは、一つまたは複数のプリズムである、請求項７８に記載の装置。
【請求項８１】
上記撮像ダイバータは、一つまたは複数のミラーである、請求項７８に記載の装置。
【請求項８２】
上記撮像ダイバータは、少なくとも一つの鏡面を有する一つのプリズムまたはそれぞれ少なくとも一つの鏡面を有する複数のプリズムのうちの一つである、請求項７８に記載の装置。
【請求項８３】
上記レンズアセンブリは、複数のレンズを含む、請求項６４に記載の装置。
【請求項８４】
上記レンズアセンブリは、非球面の表面を有するメニスカス型の第１のレンズ、非球面の表面を有するメニスカス型の第２のレンズ、および非球面の表面を有するメニスカス型の第３のレンズを含む、請求項８３に記載の装置。
【請求項８５】
上記第１のレンズは、７ｍｍ〜７２ｍｍの外径および３ｍｍ〜６７ｍｍの有効径を有する、請求項８３に記載の装置。
【請求項８６】
上記第２のレンズは、７ｍｍ〜７２ｍｍの外径および２．５ｍｍ〜６６．５ｍｍの有効径を有する、請求項８４に記載の装置。
【請求項８７】
上記第３のレンズは、７ｍｍ〜７２ｍｍの外径および３．７５ｍｍ〜６７．７５ｍｍの有効径を有する、請求項８４に記載の装置。
【請求項８８】
上記光エネルギーの光路内に沿った偏光子をさらに含む、請求項６４に記載の装置。
【請求項８９】
上記偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである、請求項８８に記載の装置。
【請求項９０】
上記コンバータを動かすマニピュレータをさらに含む、請求項６４に記載の装置。
【請求項９１】
上記マニピュレータは、圧電変換器、電気モータ、コイルドライバ、電気子ドライバ、オルソダイナミックドライバ、静電ドライバ、エレクトレットドライバ、磁歪ドライバ、または熱音響ドライバのうちの一つである、請求項９０に記載の装置。
【請求項９２】
上記マニピュレータは、コンバータに結合されている、請求項９０に記載の装置。
【請求項９３】
上記装置は、人間の目に見える画像を生成する、請求項６４に記載の装置。
【請求項９４】
上記装置は、モバイル機器内に組み込まれている、請求項６４に記載の装置。
【請求項９５】
上記モバイル機器内で実行されるコンピュータ制御コードは、当該モバイル機器を制御して上記光エネルギーから受け取られた信号を操作するように構成されている、請求項６６に記載の装置。
【請求項９６】
上記コンバータは、可視光の二つ以上の色を生成することができ、当該二つ以上の色のうち、一つは第１の種類の光エネルギーの為のものであり、もう一つは第２の種類の光エネルギーの為のものである、請求項６４に記載の装置。
【請求項９７】
上記コンバータによって生成される各色は、紫外スペクトルの特定の領域に対応している、請求項９６に記載の装置。
【請求項９８】
紫外光を遮る被覆剤の被覆範囲および被覆厚さの少なくともいずれかを評価する為の装置であって、
被写体から撮像面まで、約３００ｎｍ〜約４００ｎｍの波長帯内の光エネルギーを透過および撮像するレンズアセンブリであって、３００ｎｍ〜約４００ｎｍの光のみが透過されるように、約４００ｎｍ〜約７００ｎｍまたは４００ｎｍ〜約１１００ｎｍの光に対して吸収および反射の少なくともいずれかを行うフィルタを有するレンズアセンブリと、
上記紫外光画像を可視光に変換する、上記レンズアセンブリの上記撮像面の付近に位置するエネルギー変換板とを含む、装置。
【請求項９９】
上記エネルギー変換板は、上記高エネルギーの紫外光を、人間の目、カメラ、またはスマートフォンの撮像モジュールに見える低エネルギーの可視光に変換する蛍光板である、請求項９８に記載の装置。
【請求項１００】
モバイル機器と係合するように構成されており、
係合時において、リレーレンズが、上記可視画像を上記撮像面から上記モバイル機器のカメラへと方向づける、請求項９９に記載の装置。
【請求項１０１】
上記モバイル機器内で実行されるコンピュータ制御コードは、当該モバイル機器を制御して上記光エネルギーから受け取られた信号を操作するように構成されている、請求項１００に記載の装置。
【請求項１０２】
上記可視画像が人物によって見られるように当該可視画像を上記撮像面から当該人物へ伝達するリレーレンズを含む、請求項９９に記載の装置。
【請求項１０３】
上記撮像面からの上記可視画像が上記ユーザの人間の目に画像として示されるように、眼鏡と係合している、請求項９９に記載の装置。
【請求項１０４】
上記エネルギー変換板は、ＣＣＤまたはＣＭＯＳセンサ等の電子センサであり、上記紫外光は、可視光へと変換されてＬＣＤ画面またはＯＬＥＤ画面等の二次的な電子画面に表示される、請求項９８に記載の装置。
【請求項１０５】
撮像時または撮像時付近における紫外線データに関連する情報を受け取るように構成されたプロセッサを有するコントローラを含む、請求項１０４に記載の装置。
【請求項１０６】
上記コントローラは、モバイル機器上に表示された画像を、後でディスプレイ上で再評価する為に保存するようにさらに構成されている、請求項１０５に記載の装置。
【請求項１０７】
上記コントローラは、上記ディスプレイ上の表示性能の向上の為に上記画像の変換を行う、請求項１０６に記載の装置。
【請求項１０８】
上記コントローラは、前回の使用からの経過時間を示す警告を提供するようにさらに構成されている、請求項１０５に記載の装置。
【請求項１０９】
上記コントローラは、バイオメトリックセンサ、環境センサ、または紫外線線量センサと通信を行う、請求項１０５に記載の装置。
【請求項１１０】
上記コントローラは、人物の皮膚上における日焼け止め剤の被覆率の低い領域および高い領域の少なくともいずれかを認識し、当該領域についてディスプレイ上に追加的な可視指示を提供する、請求項１０５に記載の装置。
【請求項１１１】
上記可視指示は、点滅する色または対比色である、請求項１１０に記載の装置。
【請求項１１２】
上記コントローラは、連続するタイミングで撮像した人物の連続画像を表示させるように構成されているとともに、当該連続画像における変化に関する少なくとも一つの特性を判定するようにさらに構成されている、請求項１０５に記載の装置。
【請求項１１３】
上記光エネルギーの向きを変えるように構成された撮像ダイバータをさらに含む、請求項９８に記載の装置。
【請求項１１４】
上記撮像ダイバータは、プリズム、ミラー、および少なくとも一つの鏡面を有するプリズムからなる群のうちの一つ以上を含む、請求項１１３に記載の装置。
【請求項１１５】
上記撮像ダイバータは、一つまたは複数のプリズムである、請求項１１３に記載の装置。
【請求項１１６】
上記撮像ダイバータは、一つまたは複数のミラーである、請求項１１３に記載の装置。
【請求項１１７】
上記撮像ダイバータは、少なくとも一つの鏡面を有する一つのプリズムまたはそれぞれ少なくとも一つの鏡面を有する複数のプリズムである、請求項１１３に記載の装置。
【請求項１１８】
上記レンズアセンブリは、複数のレンズを含む、請求項９８に記載の装置。
【請求項１１９】
上記レンズアセンブリは、非球面の表面を有するメニスカス型の第１のレンズ、非球面の表面を有するメニスカス型の第２のレンズ、および非球面の表面を有するメニスカス型の第３のレンズを含む、請求項１１８に記載の装置。
【請求項１２０】
上記第１のレンズは、７ｍｍ〜１０４ｍｍの外径および３ｍｍ〜９９ｍｍの有効径を有する、請求項１１９に記載の装置。
【請求項１２１】
上記第２のレンズは、７ｍｍ〜１０４ｍｍの外径および２．５ｍｍ〜９８．５ｍｍの有効径を有する、請求項１１９に記載の装置。
【請求項１２２】
上記第３のレンズは、７ｍｍ〜１０４ｍｍの外径および３．７５ｍｍ〜９９．７５ｍｍの有効径を有する、請求項１１９に記載の装置。
【請求項１２３】
上記光エネルギーの光路に沿った偏光子をさらに含む、請求項９８に記載の装置。
【請求項１２４】
上記偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである、請求項１２３に記載の装置。
【請求項１２５】
上記蛍光板を動かすマニピュレータをさらに含む、請求項９９に記載の装置。
【請求項１２６】
上記マニピュレータは、圧電変換器、電気モータ、コイルドライバ、電気子ドライバ、オルソダイナミックドライバ、静電ドライバ、エレクトレットドライバ、磁歪ドライバ、または熱音響ドライバのうちの一つである、請求項１２５に記載の装置。
【請求項１２７】
上記蛍光板は、可視光の二つ以上の色を生成することができる、請求項９９に記載の装置。
【請求項１２８】
上記コンバータによって生成される各色は、紫外スペクトルの特定の領域に対応している、請求項１２７に記載の装置。
【請求項１２９】
上記装置は、日焼け止め剤の容器をさらに含む、請求項１から１９、４５、５８から１２８いずれかに記載の装置。
【発明の詳細な説明】
【発明の詳細な説明】
【０００１】
〔関連出願に対する相互参照〕
本願は、その開示事項の全体が参照によって本明細書に組み込まれる、２０１６年４月２７日に出願された米国仮出願第６２／３２８，４８８号（発明の名称：日焼け止め剤の被覆率を評価する為の装置）、２０１６年６月２３日に出願された米国仮出願第６２／３５３，５６３号（発明の名称：日焼け止め剤の被覆率を評価する為の装置）、２０１６年７月１５日に出願された米国仮出願第６２／３６２，６４７号（発明の名称：日焼け止め剤の被覆率を評価する為の装置）、および２０１６年９月９日に出願された米国仮出願第６２／３８５，３２６号（発明の名称：日焼け止め剤の被覆率を評価する為の装置）に対する優先権を主張する。
【０００２】
〔技術分野〕
本開示は、日焼け止め剤の被覆率を評価する為の撮像装置に関し、より具体的には、日焼け止め剤を塗布した人物から反射される光をフィルタリングすることによって当該日焼け止め剤の被覆率を判定することにより、当該日焼け止め剤の被覆率を評価する為の撮像装置に関する。
【０００３】
〔背景技術〕
太陽における核融合反応は、ガンマ線から始まりわずかな可視部を経て赤外部へと至る電磁スペクトルの全体にわたって、光エネルギーを生み出す。戸外で時を過ごす人々にとって特に心配なのは、当該スペクトルのうちの紫外線部分である。紫外線部分は、我々の目には見えないものの、肌に重度の日焼けを負わせて発がんリスクを著しく高める可能性がある。スペクトルの紫外線部分は通常、ＵＶＣ、ＵＶＢ、およびＵＶＣの三つの部分に分けられる。これらの部分に対応する波長は、３００ｎｍ未満（ＵＶＣ）、３００ｎｍ〜３５０ｎｍ（ＵＶＢ）、および３５０ｎｍ〜４００ｎｍ（ＵＶＡ）である。ＵＶＣ放射の多くは、大気中の酸素およびオゾンによって吸収される。しかしながら、ＵＶＢ線およびＵＶＡ線は、雲でさえも通過してしまう。よって、ＵＶＢ線およびＵＶＡ線が人間に与える影響は重大である。
【０００４】
人間は、ＵＶＡ放射およびＵＶＢ放射によって引き起こされる日焼けから身を守るために、無数の日焼け止めクリームおよび日焼け止めスプレーを開発してきた。これらの日焼け止め剤製品は、適切に使用された場合には極めて効果的であるが、その大半が、皮膚に擦り込むと完全に見えなくなるように設計されている。ＵＶＡおよびＵＶＢは、いずれも同様に人間の目には見えない。そこで、日焼け止め保護剤がどの程度十分に塗布されたか、あるいは、日焼け止め保護剤が時間の経過後および活動後の少なくともいずれかにどの程度残っているかの評価方法が問題となる。
【０００５】
本発明において、人物における日焼け止め剤の被覆率の評価を可能にする、改善された装置および方法等が開示される。
【０００６】
〔発明の概要〕
本概要は、発明を実施するための形態においてさらに説明される一連の概念を単純化して紹介するために提供される。本概要は、請求の範囲に記載する主題の重要な特徴または必須の特徴を特定するものではなく、当該主題の範囲を限定するために用いられるものでもない。
【０００７】
ここに開示されるのは、人物における日焼け止め剤の被覆率を評価する為の装置であって、当該装置は、筐体と、上記筐体の前面付近から延伸するとともに、約３００ｎｍ〜約４００ｎｍの波長帯内の光エネルギーを透過できるレンズアセンブリとを含む。フィルタが、上記レンズアセンブリと光通信を行い、約３９０ｎｍより上において高光学濃度を有するとともに、約３９０ｎｍ未満において低光学濃度を有する。センサが、上記フィルタと光通信を行い、約３６ｄｂを超える信号／ノイズ比を有する。コントローラが、ユーザから入力を受け付けることによって上記装置を制御するように構成されている。表示画面が、上記フィルタリングされた光に関連する画像を表示する為にコントローラと通信を行う。
【０００８】
〔図面の簡単な説明〕
上述の概要、および後述の発明を実施するための形態は、添付の図面と共に読まれることによってより良く理解される。例示の目的で、当該図面には例示的な実施形態が示される。しかしながら、開示される本発明は、開示されるこれらの特定の方法および手段に限定されない。
【０００９】
図１は、本開示の装置およびシステムの一実施形態を示す。
【００１０】
図２は、本開示の装置およびシステムのうちいずれか一つを用いたキットの一実施形態を示す。
【００１１】
図３は、本開示の装置およびシステムのうちいずれか一つによって形成される画像を示す。
【００１２】
図４は、本開示の装置およびシステムの一実施形態を示す。
【００１３】
図５は、本開示の装置およびシステムの為のアクセサリの実施形態を示す。
【００１４】
図６は、本開示の装置およびシステムの為のアクセサリの実施形態を示す。
【００１５】
図７は、本開示の装置およびシステムの一実施形態を示す。
【００１６】
〔発明を実施するための形態〕
ここに開示される本発明は、法的要件を満たすように具体的に説明される。しかしながら、当該説明は、それ自体、本願特許の範囲を限定するものではない。むしろ、本発明者らは、本文書において説明されるものと類似の様々な工程または要素を現在または未来の技術と共に含むように、特許請求の範囲に示す発明がその他の態様でも具現化され得ることを考慮した。
【００１７】
図１は、人物における日焼け止め剤の被覆率を評価する為の装置を示す。当該装置は、通常は装置１０として示され、筐体１２を含む。筐体１２は、図２に示す実施形態に類似の、射出成形された複数の部品を組み立てて成るアセンブリであってもよく、または、筐体１２は、任意の適切な構成を有していてもよい。レンズアセンブリ１４が、筐体１２の前面付近から延伸している。図示の通り、筐体１２の本体からテーパー状の凸部が延伸することにより、レンズアセンブリ１４の一部を収容する収容部を構成していてもよい。レンズアセンブリ１４は、複数のレンズからなる積層体として示されているが、任意の適切な量のレンズが所望の構成で配置されていてもよい。
【００１８】
レンズアセンブリ１４は、約３００ｎｍ〜約４００ｎｍの波長域内の光エネルギーを透過できるように構成されている。より具体的には、レンズアセンブリ１４は、ＵＶＡおよびＵＶＢに関連する任意の適切な範囲までの（図中、線５で示される）光エネルギー（例えば、３８５ｎｍまでの光エネルギー、または２８０ｎｍを超える光エネルギー）を透過できるように構成されていてもよい。適切な透過範囲には、ＵＶＢに関しては２８０ｎｍ〜３２０ｎｍ、ＵＶＡに関しては３２０ｎｍ〜４００ｎｍが含まれる。
【００１９】
一実施形態において、レンズアセンブリ１４は、少なくとも三つのレンズを含んでもよい。最も外側のレンズは、非球面の表面を有するメニスカス型であり、８ｍｍの外径および３．５ｍｍの有効径を有する。第２のレンズは、非球面の表面を有するメニスカス型であり、８ｍｍの外径および３ｍｍの有効径を有する。第３のレンズは、非球面の表面を有するメニスカス型であり、８ｍｍの外径および４．２５ｍｍの有効径を有する。
【００２０】
レンズアセンブリ１４の少なくとも一つのレンズは、溶融シリカガラス、ホウケイ酸ガラス、溶融石英ガラス、ソーダ石灰ガラス、フッ化マグネシウムガラス、環状オレフィン共重合体、環状オレフィン重合体プラスチック、ポリメチルペンテンプラスチック、シリコーン、およびアクリルプラスチックからなる群から選択される材料によって形成されていてもよい。一実施形態において、レンズは、環状オレフィン重合体プラスチックから形成されていてもよい。撮像の目的の為にさらなる特性を光に付与する為に、偏光子が、レンズアセンブリ１４と連通するように設けられていてもよい。偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つであり得る。一つ以上の実施形態において、レンズアセンブリ１４は、表示画面がユーザの視野内にある状態で別の人物にも見られるように、回転可能である。
【００２１】
フィルタ２０は、レンズアセンブリ１４と光通信を行う。フィルタ２０は、約３９０ｎｍより上において高光学濃度を有するとともに、約３９０ｎｍ未満において低光学濃度を有する。本明細書において使用される時、高光学濃度とは、３９０ｎｍより上において少なくとも約３より大きい密度を含み得るとともに、低光学濃度とは、約３９０ｎｍ未満においてわずか１である密度を含み得る。
【００２２】
センサ２２が、フィルタ２０と光通信を行う。センサ２２の信号／ノイズ比は約３６ｄｂを超える。別の実施形態において、信号／ノイズ比は約３２ｄｂを超えてもよい。別の実施形態において、信号／ノイズ比は約４０ｄｂを超えてもよい。センサ２２は、ＣＭＯＳ、ＣＣＤまたは類似のセンサであり得る。センサは、紫外スペクトル域における感受性を向上させる材料によって被覆されていてもよい。
【００２３】
コントローラ２４が、ユーザからの入力を受け付けることによって装置１０を制御するように構成されていてもよい。コントローラ２４は、プロセッサを含んでいてもよく、メモリ１８と結合されていてもよい。また、コントローラ２４は、画像操作、画像蓄積、および再生等用に構成されたコンピュータ制御コードを実行するように構成されていてもよい。
【００２４】
表示画面２６が、フィルタリングされた光に関連する画像を表示する為に、コントローラ２４と通信する。レンズアセンブリ１４に画定された複数の開口部が、センサ２２を介してディスプレイ２６上で受ける入射光エネルギー５の円錐角を画定する。窓３６は、レンズシステムにおける開口部としても機能し得る。表示画面２６における画像を見る為に、アイカップ４０およびレンズ４２によってユーザの目を人間工学的に配置してもよい。アイカップ４０の形状および弾力性は、眼鏡をかけた人物が使い易いように、アイカップ４０が一時的に折り畳まれることを可能にする。図２に示す通り、筐体は、操作者の指を受け入れる凹部を画定してもよい。一つ以上の実施形態において、表示画面２６は、モバイル機器の画面であり、装置１０は、モバイル機器と通信することにより、モバイル機器によって画像を表示画面２６上に表示させるように、構成されている。表示画面は、装置１０に対して完全に外付けであるとともに、装置との通信および画面上への画像の表示を行うように構成されていてもよい。例えば、装置１０は、日焼け止め剤をスプレーするブースにおいて、日焼け止め剤の被覆率を視覚化するブースにおいて、またはテーマパーク等で観光客が自身を撮像して日焼け止め剤の被覆率を評価することのできる、一般に訪問されるエリアに連通して、使用され得る。
【００２５】
コントローラ２４は、撮像時または撮像時付近における紫外線データに関連する情報を受け取るように構成されていてもよい。コントローラ２４は、一つまたは複数のリモートサーバ１０４と通信するネットワーク１０２を介してそのような情報を受信してもよい。紫外線データは、例えば、理想的な露光量よりも多いかまたは少ない露光量を補償するように画像を調整する為に、コントローラによって使用されてもよい。また、紫外線データは、レンズの性能を向上させる為に、当該レンズ内の一つまたは複数の応答素子を調整する為に、コントローラによって使用されてもよい。また、紫外線データは、日焼け止め剤の塗布の為、または、後で撮像したが故に紫外線シナリオの異なる画像間の比較の規格化の為に期待され得る露光量に関する情報を提供してもよい。さらに、コントローラ２４は、表示された画像の再評価を後で行う為に、当該画像を保存するように構成されていてもよい。このようにして、ユーザは、コントローラ２４を制御して被写体の以前の画像を見ることができる。被写体に関連するプロファイルを有効にしてもよい。例えば、コントローラによってある人物に対する複数の画像が「被写体Ａ」として保存され、別の人物に対する画像が「被写体Ｂ」として保存されてもよい。その上で、コントローラ２４は被写体Ｂに関連付けられた画像を評価するように構成されていてもよい。コントローラ２４は、提供された紫外線データ、画像取得時間、日焼け止め剤の種類、および塗布方法等の情報を保存するように構成されていてもよい。コントローラ２４は、前回の使用からの経過時間を示す警告を提供するように、さらに構成されていてもよい。コントローラ２４は、紫外放射計または温度センサ等のバイオメトリックセンサまたは環境センサと通信してもよい。コントローラ２４は、性能向上の為に画像の向上を提供するように構成されていてもよい。例えば、コントローラ２４は、表示画面２６上の表示性能を向上させる為に、画像変換を行うように構成されていてもよい。一つ以上の実施形態において、コントローラ２４は、人物を連続したタイミングで撮像した連続画像を表示させるように構成されていてもよい。コントローラ２４は、連続画像における変化に関する少なくとも一つの特性を判定するように、さらに構成されていてもよい。
【００２６】
一つ以上の実施形態において、コントローラ２４は、人物の皮膚における日焼け止め剤の被覆率が低い領域および高い領域の少なくともいずれかを認識し、当該領域について、ディスプレイ上に追加的な可視指示を提供する。追加的な可視指示の例としては、例えば、日焼け止め剤の被覆率の低いエリアを示す為の、ディスプレイ上に与えられた赤色のゾーンが挙げられる。可視指示は、点滅する色またはその他の対比色であってもよい。ディスプレイ上の可視指示は、二つの異なる色（一方は日焼け止め剤の被覆率が低いことを示し、他方は日焼け止め剤の被覆率が高いことを示す）を用いてもよい。あるいは、複数の色を用いて日焼け止め剤の被覆率の低いエリアを示し、ある色がＵＶＡ域に対応し、別の色がＵＶＢ域に対応するようにしてもよい。
【００２７】
図２に示す通り、装置１０は、コントローラ２４を操作する為にユーザによって押下される複数のボタン４４を含んでもよい。マウント４６が、例えば三脚架等を受け入れる為の、ねじ山付き凹部として設けられていてもよい。充電またはデータ転送の為に、入力／出力（ＩＯ）ポート５０が設けられていてもよい。ＩＯポート５０を介したデータ転送は、外部記憶装置または外部メモリ、あるいはスマートフォンまたはモバイル機器等のその他の装置、あるいはＰＣに対する接続を可能とする有線接続によって行ってもよい。または、当該データ転送は、ネットワーク１０２を介してリモートサーバ１０４へと行ってもよい。あるいは、装置１０がネットワーク１０２に無線接続できるようにしてもよい。図示される通り、筐体は、約５インチ未満の主要寸法を有する。
【００２８】
図２にさらに示す通り、装置１０は、日焼け止め剤のボトル６２と装置１０とを含むキット６０として具現化されてもよい。これにより、キット６０内の日焼け止め剤の種類に合わせて装置１０を提供することができる。
【００２９】
装置１０を用いる方法が提供され得る。方法には、例えば、人物に日焼け止め剤が塗布された後に、装置１０を用いて人物を撮像することが含まれてもよい。方法には、撮像された人物の画像であって、当該人物における日焼け止め剤の塗布をコントラストで示す画像を表示させることがさらに含まれてもよい。方法には、日焼け止め剤の追加塗布およびその後の撮像による被覆の面積の評価がさらに含まれてもよい。
【００３０】
図３に、装置１０を用いてユーザに表示される画像を示す。当該画像１には、２で表される適切な被覆と３で表される不十分な被覆とを有する被写体が示される。前述の通り、エリア３には、対比色、点滅する色、またはその他の視覚的表示が含まれ得る。
【００３１】
一実施形態において、一つ以上の光学素子の組み合わせによって構成される撮像レンズが開示される。光学素子には、複数の開口部および複数のフィルタに加えて、例えば自由形状、メニスカス、非球面、両凸、両凹、平凸、平凹を含む任意の形状の単レンズが含まれてもよい。要素間のスペースは、撮像レンズの性能を最適化するように選択される。フィルタは、日焼け止め剤の吸収が最大になるスペクトル領域（３００ｎｍ〜４００ｎｍ）において透過率が最大になるように、かつ、当該領域外（＞４００ｎｍ）において透過率が最小になるように選択される。他の光学素子に対するフィルタの配置は、レンズシステムおよびフィルタの両方の性能を最適化するように行う。他の光学素子に対する一つ以上の開口部の寸法および配置は、レンズシステムおよびフィルタの両方の性能が最適化されるように決定される。光学レンズ素子は、３００ｎｍ〜４００ｎｍのスペクトル領域において透過率が最大になるような材料から形成されていることが好ましい。同様に、レンズ要素に施されるコーティングは、３００ｎｍ〜４００ｎｍのスペクトル領域においてレンズ要素の性能を最適化するように選択される。
【００３２】
撮像レンズは、（ＣＣＤまたはＣＭＯＳ等の）画像センサの面上において画像が最大の解像度およびフォーカスで形成されるように、当該撮像センサから離間して取り付けられる。画像センサは、紫外線のみの画像が、画質を低下させるゲイン設定を必要とすることなく当該画像センサによって生成され得るほど、当該画像センサの感受性がスペクトルの紫外領域において十分であるように、選択される。
【００３３】
センサからの画像は、記録されるか、またはカメラ板（図を参照）の背後に取り付けられた画面を介してライブ映像にて提示されてもよい。ユーザが装置を目に当てた際、カメラのファインダーと同様に画面のフォーカスが合うように、単一または複数の要素から成るレンズを用いてユーザにアイレリーフを与えてもよい。
【００３４】
一つ以上の実施形態において、コントローラ２４は、センサ２２またはその他の構成要素によって、被写体におけるＵＶＡに関する日焼け止め剤の被覆箇所およびＵＶＢに関する日焼け止め剤の被覆箇所を選択的に表示するように構成されていてもよい。これにより、ユーザは、ボタンを押下してＵＶＡに関する被覆率を表示した後、別のボタンを押下してＵＶＢに関する被覆率を表示し、また別のボタンを押下して両被覆率の組み合わせ等を表示することができる。
【００３５】
皮膚における日焼け止め剤の可視化は、日焼け止め剤が紫外光を吸収するエリアと保護されていない皮膚が紫外光を反射するエリアとの間の光学的コントラストの生成に依存する。したがって、フィルタの好ましい透過率の範囲は、日焼け止め製剤に使用される成分の波長帯に最もよく一致する範囲である。当業者に理解されるように、日焼け止め製剤における有効成分は、政府および政治組合内の機関によって規制されており、ある国において利用可能な日焼け止め成分および日焼け止め製剤が、他国においても利用可能であるとは限らない。したがって、特定の地域または国において利用可能な有効成分とよりよく一致するように調整された光学フィルタの仕様を伴う、各種実施形態を作成することが必要となり得る。
【００３６】
日焼け止め製剤の大半は、その波長が３９０ｎｍを超える光エネルギーをあまり吸収しない成分を有するが、人間の目には、波長が４２５ｎｍ未満の光エネルギーはあまり見えない。波長が３９０ｎｍ〜４２５ｎｍの範囲内の光エネルギーを吸収する成分が、日焼け止め製剤に添加され得る。別の実施形態に係る装置は、４２５ｎｍまでの波長を含む透過範囲のフィルタを有し得る。これにより、そのような成分を含むあらゆる日焼け止め製剤の可視化が可能になる。
【００３７】
皮膚における日焼け止め剤の可視化は、日焼け止め剤が紫外光を吸収するエリアと保護されていない皮膚が紫外光を反射するエリアとの間の光学的コントラストの生成に依存する。可視化は、日焼け止め剤に被覆された皮膚のエリアからの正反射によって明るく見える箇所が生じる場合に、混同を生じる。このような明るいエリアは、本当は単なる光学的アーチファクトであるにも関わらず、保護されていない皮膚と誤解される可能性がある。非金属の表面から反射された光は偏向され、この効果はブルースター角において最大となる。光学的コントラストがどのように可視化されるか（紫外線カメラか、レンズのみか）に関わらず、これらの明るい箇所は、正反射光に対して直交するように回転されて位置合わせされる光学系に、偏光フィルタ、偏光素子、または偏光機能を組み込むことによって、減少または除去することが可能である。偏光子は、日焼け止め剤の可視化を可能にするのに十分な紫外線透過率を本質的に提供する限りにおいて、任意の種類であり得る。そのような好適な偏光子の例には、限定されないが、ブルースター窓、二色性フィルム、積層フィルム、ウォラストン、グラントムソン、ローション、グランテーラー、グランレーザ、ワイヤグリッド、ナノワイヤ、画素化、波長板、およびビームスプリッタが含まれる。
【００３８】
または、上述の通り、皮膚における日焼け止め剤の可視化を可能にする為に、変換撮像というアプローチを用いてもよい。このアプローチは、可視化の為にカメラを採用しないレンズのみから成るシステムであってもよく、または、スマートフォンに内蔵されたカメラ等の従来のカメラと共に使用されてもよい。このアプローチにおいては、第１のレンズアセンブリ、ダウンコンバージョン板、および第２のレンズアセンブリが採用される。ダウンコンバージョン板の目的は、紫外光を可視光に変換することである。プロトタイプの試行によって、このアプローチが実行可能であることが示されたが、解像度の制限された画像が生成された。この解像度の制限の大きな原因の一つは、ダウンコンバージョン材料の有限かつ不均一な粒径、およびダウンコンバージョン材料の層の形成に用いられる方法に起因すると考えられた。開発の取り組みにおいて、まず、さらに小さい粒径およびさらに高い均一性を有するダウンコンバージョン材料の調達、ならびに層形成プロセスの改良に着目した。この取組みによって画質が向上したものの、商品化できるほどの向上ではなかった。そして、ダウンコンバージョン板を、一次元または二次元に、回転運動、側方運動、あるいはランダムまたは準ランダムなパターンで運動させることにより、ぶれによってダウンコンバージョン板の不均一性が消失したように見せることが可能であることが見出された。上記板の運動の速度は、可視化のモダリティの時定数（シャッター速度）が最も速い場合においてでさえ、あらゆる単独の不均一性がぼやけて見えるほど動くような、速度でなければならない。例えば、人間が撮像システムを覗いている場合、板は、板における平均的な粒度不均一性が人間の「残像性」によって消失したように見える程度に、十分に速くかつ長く動く必要がある。板の運動は、回転であってもよいが、好ましい実施形態においては、小さな圧電変換器によって誘発される直線運動または準ランダムな運動である。
【００３９】
皮膚における日焼け止め剤の可視化の例の全てについて、全てのアプローチは、スマートフォン装置に内蔵されるかまたはスマートフォン装置と共に用いられることができることに留意すべきである。そのような目的の為に追加的カメラを含むようにスマートフォン装置を変更してもよく、あるいは、標準的なスマートフォンカメラおよびソフトウェアの少なくともいずれかを変更してもよい。レンズのみによる変換アプローチは、スマートフォンへの搭載に適しており、これにより、スマートフォンの標準的カメラを皮膚における日焼け止め剤の可視化の為に使用することが可能になる。
【００４０】
スタンドアロンのレンズまたは分離可能なレンズのアプローチの一例を、図４に示す。装置は通常、装置１５０と呼ばれ、人物における日焼け止め剤の被覆率を評価する為に設けられる。装置１５０は、複数の構成要素を含む積層体１４０を含んでもよい。例えば、レンズアセンブリ１５４が、約３００ｎｍ〜約４００ｎｍの波長帯における光エネルギーを透過させる。レンズアセンブリ１５４は、レンズアセンブリ１４といくつかの特性を共有してもよい。一つ以上の実施形態において、レンズアセンブリ１５４のレンズは、溶融シリカガラス、ホウケイ酸ガラス、溶融石英ガラス、ソーダ石灰ガラス、フッ化マグネシウムガラス、環状オレフィン共重合体プラスチック、環状オレフィン重合体プラスチック、ポリメチルペンテンプラスチック、シリコーン、およびアクリルプラスチックからなる群から選択される材料から形成される。フィルタ１７０が、レンズアセンブリと光通信を行い、約３９０ｎｍより上において高光学濃度を有するとともに、約３９０ｎｍ未満において低光学濃度を有する。コンバータ１５８が、光エネルギーの紫外光を可視光に変換する。複数の開口部１６４および窓１５６が設けられていてもよい。リレーレンズ１６０が、可視光に関連する画像を伝達する。光エネルギー５および変換された画像は、その後、モバイル機器１７２の撮像装置１７４（カメラ等）へ伝送される。モバイル機器１７２は、プロセッサ１７６とコンピュータ制御コードを格納するメモリ１７８とを有するコントローラをさらに含んでもよい。モバイル機器１７２の無線電信機１８０によって外部との通信を可能にしてよい。
【００４１】
レンズ１５４の積層体アセンブリ、コンバータ１５８、リレーレンズ１６０、および複数の開口部１６４等は、人間の目に見られるのに適したスタンドアロンの製品として具現化されてもよく、あるいは他の外部装置との組み合わせにおいて具現化されてもよい。例えば、積層体アセンブリは、眼鏡およびモバイル機器のケース等と係合されるようにさらに構成されていてもよい。図５に示す通り、通常は１９０と呼ばれる「積層体」は、モバイル機器の筐体１９２の延長として具現化されてもよい。積層体１９０は、積層体が撮像装置／カメラ１７４と一致する位置、またはこれと一致しない、通常の撮像を可能にする位置を画定するようにスライド可能であってもよい。別の実施形態において、積層体は、その全体がモバイル機器内に完全に収容されるように具現化されてもよい。
【００４２】
類似の構成を、図６に示す。図６において、眼鏡６０２に係合した積層体６００が示されている。
【００４３】
積層体装置１４０は、モバイル機器に係合される場合、リレーレンズ１６０が光エネルギーをモバイル機器１７２の撮像装置１７４内へと方向づけるように構成されていてもよい。一つ以上の実施形態において、モバイル機器１７２は、撮像時または撮像時付近における紫外線データに関連する情報を受け取るように構成されたプロセッサ１７６を有するコントローラを含む。一つ以上の実施形態において、コントローラは、モバイル機器上に表示された画像の再評価を後で行う為に、当該画像を保存するようにさらに構成されている。一つ以上の実施形態において、コントローラは、前回の使用からの経過時間を示す警告を提供するようにさらに構成されている。一つ以上の実施形態において、コントローラは、バイオメトリックセンサまたは環境センサと通信してもよい。一つ以上の実施形態において、コントローラは、性能向上の為に画像の向上を行う。一つ以上の実施形態において、コントローラは、ディスプレイ上の表示性能を向上させる為に、画像変換を行う。一つ以上の実施形態において、コントローラは、人物の皮膚における日焼け止め剤の被覆率が低い領域および高い領域の少なくともいずれかを認識し、当該領域について、ディスプレイ上に追加的な可視指示を提供する。一つ以上の実施形態において、可視指示は、点滅する色または対比色である。一つ以上の実施形態において、コントローラは、連続するタイミングで撮像した人物の連続画像を表示させるように構成されている。コントローラは、当該連続画像における変化に関する少なくとも一つの特性を判定するようにさらに構成されている。一つ以上の実施形態において、コントローラは、上記画像を、後で再評価する為に保存するように構成されている。一つ以上の実施形態において、コントローラは、バイオメトリックセンサ、環境センサ、または紫外線線量センサと通信を行う。
【００４４】
一つ以上の実施形態において、装置は、光エネルギーの向きを変えるように構成された撮像ダイバータ１６８を有する。ダイバータ１６８は、図７において複数のプリズムの集合体として示されている。別の実施形態において、ダイバータ１６８は、一つまたは複数のミラーであってもよく、あるいは、少なくとも一つの鏡面を有する一つのプリズムおよびそれぞれ少なくとも一つの鏡面を有する複数のプリズムのうちのいずれかであってもよい。
【００４５】
レンズアセンブリ１５４は、非球面の表面を有するメニスカス型の第１のレンズ１５４Ａ、非球面の表面を有するメニスカス型の第２のレンズ１５４、および非球面の表面を有するメニスカス型の第３のレンズ１５４を含んでもよい。
【００４６】
一つ以上の実施形態において、第１のレンズ１５４Ａは、７ｍｍ〜７２ｍｍの外径および３ｍｍ〜６７ｍｍの有効径を有し、第２のレンズ１５４Ｂは、７ｍｍ〜７２ｍｍの外径および２．５ｍｍ〜６６．５ｍｍの有効径を有し、第３のレンズは、７ｍｍ〜７２ｍｍの外径および３．７５ｍｍ〜６７．７５ｍｍの有効径を有する。偏光子が、光エネルギーの光路に沿って配置されてもよい。偏光子は、ブルースター窓、二色性フィルム、誘電体フィルム、積層フィルム、複屈折型偏光子、ウォラストン型偏光子、グラントムソン型偏光子、ローション型偏光子、グランテーラー型偏光子、グランレーザ型偏光子、ワイヤグリッド、ナノワイヤグリッド、画素化ナノワイヤグリッド、波長板、またはビームスプリッタのうちの一つである。
【００４７】
請求項６４に係る装置は、コンバータを動かすマニピュレータ１６１をさらに含む。マニピュレータ１６１は、圧電変換器、電気モータ、コイルドライバ、電気子ドライバ、オルソダイナミックドライバ、静電ドライバ、エレクトレットドライバ、磁歪ドライバ、または熱音響ドライバのうちの一つであってもよい。マニピュレータ１６１は、コンバータに結合されていてもよい。
【００４８】
好ましくは、いくつかの実施形態において、上記装置は人間の目に見える画像を生成する。
【００４９】
コンバータ１５８は、可視光の二つ以上の色を生成するように構成されて設けられていてもよく、当該二つ以上の色のうち、一つは第１の種類の光エネルギーの為のものであり、もう一つは第２の種類の光エネルギーの為のものである。コンバータ１５８によって生成される各色は、紫外スペクトルの特定の領域に対応していてもよい。コンバータ１５８は、高エネルギーの紫外光を、人間の目に見える低エネルギーの可視光に変換する蛍光板であるエネルギー変換板であってもよい。エネルギー変換板は、ＣＣＤまたはＣＭＯＳセンサ等の電子センサであってもよい。紫外光は、可視光へと変換されてＬＣＤ画面またはＯＬＥＤ画面等の二次的な電子画面に表示される。蛍光板は、可視光の二つ以上の色を生成するように構成されていてもよく、当該二つ以上の色のそれぞれは、紫外スペクトルの特定の領域に対応する。
【００５０】
一つ以上の実施形態において、第１のレンズ１５４Ａは、７ｍｍ〜１０４ｍｍの外径および３ｍｍ〜９９ｍｍの有効径を有する。一つ以上の実施形態において、第２のレンズ１５４Ｂは、７ｍｍ〜１０４ｍｍの外径および２．５ｍｍ〜９８．５ｍｍの有効径を有する。一つ以上の実施形態において、第３のレンズは、７ｍｍ〜１０４ｍｍの外径および３．７５ｍｍ〜９９．７５ｍｍの有効径を有する。
【００５１】
当業者に理解されるように、本発明の態様は、システム、方法、またはコンピュータプログラム製品として具現化され得る。したがって、本発明の態様は、完全にハードウェアである実施形態、完全にソフトウェアである実施形態（ファームウェア、常駐ソフトウェア、マイクロコード等を含む）、またはソフトウェアの態様とハードウェアの態様とを組み合わせた実施形態の形を取り得、これらの全ては、本明細書において「回路」、「モジュール」または「システム」と総称され得る。さらに、本発明の態様は、コンピュータ読み取り可能なプログラムコードが内蔵された一つ以上のコンピュータ読み取り可能な媒体として実現された、コンピュータプログラム製品の形を取り得る。
【００５２】
一つ以上のコンピュータ読み取り可能な媒体の、任意の組み合わせが利用可能である。コンピュータ読み取り可能な媒体は、コンピュータ読み取り可能な信号媒体またはコンピュータ読み取り可能な記憶媒体（一時的でないコンピュータ読み取り可能な記憶媒体を含むがこれに限定されない）であってもよい。コンピュータ読み取り可能な記憶媒体は、限定されないが、例えば、電子、磁気、光学、電磁気、赤外、または半導体によるシステムまたは装置、あるいはこれらの任意の組み合わせであり得る。コンピュータ読み取り可能な記憶媒体のより具体的な例（非限定的リスト）には、一つ以上の電線を有する電気接続、ポータブルコンピュータディスケット、ハードディスク、ＲＡＭ、ＲＯＭ、ＥＰＲＯＭまたはフラッシュメモリ、光ファイバ、ポータブルＣＤ−ＲＯＭ、光学記憶装置、磁気記憶装置、あるいはこれらの任意の組み合わせが含まれる。本書の文脈において、コンピュータ読み取り可能な記憶媒体は、命令実行システムまたは装置によって使用される為の、あるいは当該システムまたは装置と共に使用される為のプログラムを収容または記憶可能な任意の有形の媒体であり得る。
【００５３】
コンピュータ読み取り可能な信号媒体は、例えばベースバンドに含まれるかまたは搬送波の一部である、コンピュータ読み取り可能なプログラムコードを具現化した、伝播されるデータ信号を含んでもよい。このような伝播信号は、電磁気、光学、またはこれらの任意の組み合わせを含むがこれらに限定されない、種々の形を取り得る。コンピュータ読み取り可能な信号媒体は、命令実行システムまたは装置によって使用されるかまたはこれと共に使用される為のプログラムを伝達、伝播、または輸送することのできる、コンピュータ読み取り可能な記憶媒体ではない、任意のコンピュータ読み取り可能な媒体であり得る。
【００５４】
コンピュータ読み取り可能な媒体内に具現化されるプログラムコードは、無線、有線、光ファイバケーブル、ＲＦ等、あるいはこれらの任意の適切な組み合わせを含むがこれらに限定されない、任意の適切な媒体を用いて送信され得る。
【００５５】
本発明の態様の為の処理を行う為のコンピュータプログラムコードは、Ｊａｖａ（登録商標）、Ｓｍａｌｌｔａｌｋ（登録商標）、またはＣ＋＋等のオブジェクト指向プログラム言語、「Ｃ」プログラム言語または類似のプログラム言語等の従来の手続きプログラム言語、ならびにＶＨＤＬおよびＶｅｒｉｌｏｇ等のハードウェア記述言語を含む、一つ以上のプログラム言語の任意の組み合わせ内に記述されていてもよい。プログラムコードは、完全にユーザのコンピュータ上で実行してもよく、スタンドアロンソフトウェアパッケージとして部分的にユーザのコンピュータ上で実行してもよく、部分的にユーザのコンピュータ上で実行するとともに部分的にリモートコンピュータ上で実行してもよく、あるいは、完全にリモートコンピュータまたはリモートサーバ上で実行してもよい。後者の場合、リモートコンピュータはＬＡＮまたはＷＡＮを含む任意の種類のネットワークを介してユーザのコンピュータに接続されてもよく、あるいは、（例えば、インターネットサービスプロバイダを用いてインターネットを介して）外部コンピュータに接続を行われてもよい。
【００５６】
以下において、本発明の実施形態に係る方法、装置（システム）、およびコンピュータプログラム製品のフローチャート図およびブロック図の少なくともいずれかを参照しつつ、本発明の態様を説明する。当該フローチャート図およびブロック図の少なくともいずれかの各ブロック、ならびに当該フローチャート図およびブロック図の少なくともいずれかにおける複数のブロックの組み合わせは、コンピュータプログラム命令によって実現され得ることを理解されたい。これらのコンピュータプログラム命令は、汎用コンピュータ、専用コンピュータ、またはその他のプログラマブルデータ処理装置のプロセッサに設けられてもよく、これにより、当該コンピュータまたはその他のプログラマブルデータ処理装置のプロセッサにより実行される命令が上記フローチャートおよびブロック図の少なくともいずれかの一つまたは複数のブロックに特定される機能／作用を実現する手段を生み出すように、機械を生成してもよい。
【００５７】
これらのコンピュータプログラム命令は、コンピュータ、他のプログラマブルデータ処理装置、またはその他の装置に命令して特定の方法で機能させることのできるコンピュータ読み取り可能な媒体に格納されてもよく、これにより、当該コンピュータ読み取り可能な媒体に格納された命令が、上記フローチャートおよびブロック図の少なくともいずれかの一つまたは複数のブロックに特定される機能／作用を実現する命令を含む製品を生成してもよい。
【００５８】
コンピュータプログラム命令は、コンピュータ、他のプログラマブルデータ処理装置、またはその他の装置に展開されて、当該コンピュータ、他のプログラマブル装置、またはその他の装置において一連の処理工程を実行させてもよく、これにより、上記コンピュータまたはその他のプログラマブル装置において実行される命令が上記フローチャートおよびブロック図の少なくともいずれかの一つまたは複数のブロックにおいて特定される機能／作用を実現する為のプロセスを提供するように、コンピュータにより実現されるプロセスを生成してもよい。
【００５９】
上述の実施形態は、各種図面の好ましい実施形態に関連付けて説明された。しかしながら、他の類似の実施形態が用いられ得ること、あるいは、上述の実施形態から逸脱すること無しに同一の機能を実施する為に、上述の実施形態に対して変更および追加を行い得ることを理解すべきである。したがって、開示された実施形態は、いかなる単一の実施形態にも限られるべきものではなく、添付した特許請求の範囲に係る範囲によって解釈されるべきものである。
【図面の簡単な説明】
【００６０】
【図１】本開示の装置およびシステムの一実施形態を示す。
【図２】本開示の装置およびシステムのうちいずれか一つを用いたキットの一実施形態を示す。
【図３】本開示の装置およびシステムのうちいずれか一つによって形成される画像を示す。
【図４】本開示の装置およびシステムの一実施形態を示す。
【図５】本開示の装置およびシステムの為のアクセサリの実施形態を示す。
【図６】本開示の装置およびシステムの為のアクセサリの実施形態を示す。
【図７】本開示の装置およびシステムの一実施形態を示す。
【図１】
2019515289.tif 000003
【図２】
2019515289.tif 000004
【図３】
2019515289.tif 000005
【図４】
2019515289.tif 000006
【図５】
2019515289.tif 000007
【図６】
2019515289.tif 000008
【図７】
2019515289.tif 000009
【国際調査報告】
2019515289.tif 000010
2019515289.tif 000011